(57)【要約】【課題】着用中に不快な思いをすることなくずり落ちを防止して気持ち良く着用することができる靴下の提供。【解決手段】ストッキングとソックスとを含む靴下１１におけるレッグ部３３の上側領域に位置する口ゴム部１３を内側面部１４と外側面部２４との二層で形成し、内側面部１４は、弾性芯糸に紡績糸またはフィラメント糸を巻き付けてなるカバリングヤーンと弾性裸糸２４とを用いて混在させたダブルメッシュ編み組織１５とプレーン編み組織１６とで人体接触面側の摩擦係数を高めて編成し、外側面部２４は、２本のカバリングヤーンと２本のウーリーナイロン糸とを用いた伸縮性に富むメッシュ編み組織２５により編成するとともに、レッグ部３３の上縁側領域３５は、１本のカバリングヤーンと２本の弾性裸糸と１本のウーリーナイロン糸とを用いて人体接触面側に弾性裸糸を表出させたフロート編み組織３６により編成した。【選択図】図１
2004068206.tif 000002
【特許請求の範囲】
【請求項１】
ストッキングとソックスとを含む靴下におけるレッグ部の上側領域に位置する口ゴム部を内側面部と外側面部との二層で形成し、
そのうちの前記内側面部は、弾性芯糸に紡績糸またはフィラメント糸を巻き付けてなるカバリングヤーンと弾性裸糸とを用いて混在させたダブルメッシュ編み組織とプレーン編み組織とで人体接触面側の摩擦係数を高めて編成し、前記外側面部は、２本の前記カバリングヤーンと２本のウーリーナイロン糸とを用いた伸縮性に富むメッシュ編み組織により編成するとともに、
前記レッグ部の上縁側領域は、１本の前記カバリングヤーンと２本の前記弾性裸糸と１本の前記ウーリーナイロン糸とを用いて人体接触面側に前記弾性裸糸を表出させたフロート編み組織により編成したことを特徴とする靴下。
【請求項２】
前記口ゴム部は、非着用時における長さ方向での縦幅が４〜６ｃｍである請求項１に記載の靴下。
【請求項３】
前記弾性裸糸は、４０〜８４０デニールの太さである請求項１または２に記載の靴下。
【請求項４】
前記弾性裸糸は、５００％伸張時のパワーが６０〜３００ｇｆの範囲にあるポリウレタン系弾性裸糸である請求項１ないし３のいずれかに記載の靴下。
【請求項５】
前記フロート編み組織は、非着用時における長さ方向での縦幅が４〜７ｃｍである請求項１ないし４のいずれかに記載の靴下。
【請求項６】
口ゴム部における前記外側面部は、１２０％以上の伸縮性を有するメッシュ編み組織により編成した請求項１ないし５のいずれかに記載の靴下。
【発明の詳細な説明】
【０００１】
【発明の属する技術分野】
本発明は、着用時のずり落ちを効果的に防止して気持ち良く着用し続けることができるストッキングとソックスとを含む靴下に関する技術である。
【０００２】
【従来の技術】
靴下は、その着用中の足の動きが激しければ激しいほど次第にずり落ちてきて弛みが生じたりしわができてしまうことから、見た目に見苦しいばかりでなく、着用者に不快感を感じさせることになる。
【０００３】
このため、靴下は、その口ゴム部をゴム編み組織としたり、人体接触面側にゴムのような摩擦係数の高い素材を塗布するなどして、ずり落ちを防止する工夫が凝らされていた。
【０００４】
さらに、着用の都度、靴下の口ゴム部の人体接触面側に接着性に富む糊状のものを塗布することさえも行われている。
【０００５】
【発明が解決しようとする課題】
しかし、口ゴム部にゴム編み組織を採用する従来タイプの靴下は、ずり落ち防止を追求するあまりその締付け力が強くなり過ぎて着用中に不快感や違和感を与えてしまう不都合があった。
【０００６】
また、口ゴム部の人体接触面側にゴムのような摩擦係数の高い素材が塗布されている靴下は、洗濯を繰り返すにつれ剥落するなどしてその効果が次第に低下してしまう不具合があった。
【０００７】
さらに、着用の都度、口ゴム部の人体接触面側に糊状のものを塗布する手法は、作業的に煩雑であるばかりでなく、着用中に不快なベタツキ感があるなどの問題があった。
【０００８】
本発明は、従来からある靴下にみられた上記課題に鑑み、着用中に不快な思いをすることなくずり落ちを防止して気持ち良く着用することができる靴下を提供することを目的とする。
【０００９】
【課題を解決するための手段】
本発明は、上記目的を達成すべくなされたものであり、ストッキングとソックスとを含む靴下におけるレッグ部の上側領域に位置する口ゴム部を内側面部と外側面部との二層で形成し、そのうちの前記内側面部は、弾性芯糸に紡績糸またはフィラメント糸を巻き付けてなるカバリングヤーンと弾性裸糸とを用いて混在させたダブルメッシュ編み組織とプレーン編み組織とで人体接触面側の摩擦係数を高めて編成し、前記外側面部は、２本の前記カバリングヤーンと２本のウーリーナイロン糸とを用いた伸縮性に富むメッシュ編み組織により編成するとともに、前記レッグ部の上縁側領域は、１本の前記カバリングヤーンと２本の前記弾性裸糸と１本の前記ウーリーナイロン糸とを用いて人体接触面側に前記弾性裸糸を表出させたフロート編み組織により編成したことに構成上の特徴がある。
【００１０】
本発明における前記口ゴム部は、非着用時における長さ方向での縦幅を４〜６ｃｍとして形成するのが好ましい。また、前記弾性裸糸は、４０〜８４０デニールの太さのものを好適に用いることができ、特に、２００％伸張時のパワーが８〜１３０ｇｆの範囲にあるポリウレタン系弾性裸糸を好適に用いることができる。さらに、前記フロート編み組織は、非着用時における長さ方向での縦幅を４〜７ｃｍとするのが望ましく、さらには、口ゴム部における前記外側面部は、１２０％以上の伸縮性を有するメッシュ編み組織により編成するのが望ましい。
【００１１】
【発明の実施の形態】
図１は、ストッキングとソックスとを含む靴下のうち、ストッキングに本発明を適用した際の一例を示す説明図であり、そのうちの（ａ）は全体図を、（ｂ）は（ａ）におけるＡ−Ａ線矢視方向での拡大断面図をそれぞれ示す。
【００１２】
図１（ａ）によれば、靴下１１のひとつであるストッキング１２は、履き口を兼ねる口ゴム部１３と、大腿部から足までを覆うレッグ部３３とでその全体が形成されている。なお、図示例におけるレッグ部３３は、大腿部から足首部までを覆う脚部３４と、爪先部を含むインステップ部とソール部とを覆う足部４４とで形成されている。
【００１３】
ストッキング１２におけるレッグ部３３の上側領域に位置する口ゴム部１３は、図１（ｂ）に示されているようにその着用時に人体に直接接触する内側面部１４と、人体とは直接に接触することのない外側面部２４との二層構造となっており、非着用時における長さ方向での縦幅がそれぞれ４〜６ｃｍ程度となって形成されている。
【００１４】
このうち、口ゴム部１３において内側の一層を構成している内側面部１４は、弾性芯糸に紡績糸またはフィラメント糸を巻き付けてなるカバリングヤーン１８と弾性裸糸１９とを用いた２口編みにより、図２に示すようにダブルメッシュ編み組織１５とプレーン編み組織１５とを混在させることにより人体接触面側の摩擦係数を高めた状態のもとで編成されている。
【００１５】
そして、これらカバリングヤーン１８と弾性裸糸１９とを用いたダブルメッシュ編み組織１５を編成して柄状となった凹凸面１７を形成することにより、摩擦係数をより高めてやることができるほか、あたかも吸盤のような吸い付き機能をも同時に内側面部１４に対し付与することができることになる。
【００１６】
一方、口ゴム部１３において外側の一層を構成している外側面部２４の側は、図３に示すように２本のカバリングヤーン２６，２７と２本のウーリーナイロン糸２８，２９とを用いた４口編みによるメッシュ編み組織２５を編成することにより、優れた伸縮性が付与されて形成されている。
【００１７】
また、境界帯域４１を介して口ゴム部１３と隣り合う位置にあるレッグ部３３にあって、その脚部３４の上縁側領域３５は、図４に示すように１本のカバリングヤーン３７と２本の弾性裸糸３８，３９と１本のウーリーナイロン糸４０とを用いた４口編みによるフロート編み組織３６により人体接触面側に弾性裸糸３８，３９が表出する状態のもとで編成されており、このような編み組織とすることにより所要の着圧を生成することができるほか、摩擦係数を高めてやることもできる。
【００１８】
さらに、上記した上縁側領域３５を除く脚部３４と境界帯域４１とのそれぞれは、着圧を効果的に付与することができるリブフロート編み組織により編成されている。
【００１９】
また、ヒール部４５と爪先部とを除く足部４４は、同様に着圧を効果的に付与することができるリブフロート編み組織により編成されている。
【００２０】
本発明におけるカバリングヤーン１８，２６，２７，３７は、弾性芯糸としてポリウレタン弾性糸を用い、該ポリウレタン弾性糸にフィラメント糸を一重に巻き付けてなるシングルカバリングヤーンを好適に用いることができるほか、必要によりポリウレタン弾性糸にフィラメント糸を二重に巻き付けてなるダブルカバリングヤーンを用いることもできる。
【００２１】
また、弾性裸糸１９，３８，３９は、４０〜８４０デニールの太さのものを好適に用いることができ、特に、５００％伸張時のパワーが６０〜３００ｇｆの範囲にあるポリウレタン系弾性裸糸を好適に用いることができる。
【００２２】
さらに、フロート編み組織３６は、非着用時における長さ方向での縦幅を４〜７ｃｍとするのが望ましく、さらには、口ゴム部１３における外側面部２４は、適度な圧迫力によりずり落ちや丸まりを防止するために、１２０％以上の伸縮性を有するメッシュ編み組織２５により編成するのが望ましい。
【００２３】
次に、本発明の作用・効果につき図示例を参酌しながら説明すれば、靴下１１としてのストッキング１２を着用した際における口ゴム部１３は、人体に直接接触する内側面部１４と、人体とは直接に接触することのない外側面部２４との二層構造となっているので、このうちの内側面部１４が人体である例えば大腿部と直に接触することになる。
【００２４】
この場合、内側面部１４は、カバリングヤーン１８と弾性裸糸１９とが用いられたダブルメッシュ編み組織１５とプレーン編み組織１５とで広幅に編成されているので、高い摩擦係数のもとで人体に接触させることができるほか、柄状に形成された凹凸面１７を介することであたかも吸盤のような吸い付き機能をも同時に発揮させることができる。
【００２５】
しかも、口ゴム部１３にあって表側に位置することになる外側面部２４は、伸縮性に優れたメッシュ編み組織２５で広幅に編成されていることから、摩擦係数の高い内側面部１４をその着用時にソフトな感覚のもとで人体側に押し当ててやることができるので、好ましい着用感のもとでずり落ちを効果的に防止して着用を続けることができる。
【００２６】
さらに、境界帯域４１を介して口ゴム部１３と隣り合う位置にあるレッグ部３３における脚部３４の上縁側領域３５は、所要の着圧を備え、かつ、人体接触面側に弾性裸糸３８，３９を表出させた広幅なフロート編み組織３６で編成されているので、高い摩擦係数のもとで人体側に接触させることにより、口ゴム部１３と同様に着用中のずり落ち防止機能を発揮させてやることができる。
【００２７】
つまり、本発明によれば、口ゴム部１３と脚部３４の上縁側領域３５との二面領域にて、好ましい着圧のもとでずり落ちを防止しながら人体側と接触させることができるので、その着用時におけるずり落ちと口ゴム部１３部位に発生しがちな丸まりとを効果的に防止して、気持ち良く着用を続けることができる。
【００２８】
以上は、本発明をあくまでも図示例に従って説明したものであり、その内容はこれに限定されるものではない。例えば、本発明が適用される靴下１１としては、図示例以外に、例えばアンクルソックス、クルーソックス、ハイソックス、オーバーニーソックス、爪先部を有しないストッキングのほか、適宜形状の弾性靴下なども含まれる。
【００２９】
【発明の効果】
以上述べたように本発明によれば、口ゴム部の内側面部は、ダブルメッシュ編み組織とプレーン編み組織とで広幅で、かつ、凹凸面をも設けて編成されているので、高い摩擦係数のもとで人体側に密着させることができる。
【００３０】
しかも、口ゴム部の外側面部は、伸縮性に優れたメッシュ編み組織で広幅に編成されていることから、その着用時にソフトな感覚のもとで内側面部を人体側に押し当ててやることができるので、好ましい着用感のもとでずり落ちを効果的に防止することができる。
【００３１】
さらに、レッグ部における脚部の上縁側領域は、所要の着圧を備え、かつ、人体接触面側に弾性裸糸を表出させたフロート編み組織で編成されているので、高い摩擦係数のもとで人体側に接触させることにより、口ゴム部と同様に着用中のずり落ち防止機能を発揮させてやることができる。
【００３２】
したがって、本発明によれば、口ゴム部と脚部の上縁側領域との二面領域にて、好ましい着圧のもとでずり落ちを防止しながら人体側と接触させることができることになり、その着用時におけるずり落ちと口ゴム部の側に発生しがちな丸まりとを効果的に防止して、気持ち良く着用を続けることができる。
【図面の簡単な説明】
【図１】本発明の一例を非着用状態のもとで示す説明図であり、そのうちの（ａ）は全体図を、（ｂ）は（ａ）におけるＡ−Ａ線矢視方向での拡大断面図をそれぞれ示す。
【図２】口ゴム部を構成している内側面部の側の編み組織につき要部を拡大して示す説明図。
【図３】口ゴム部を構成している外側面部の側の編み組織につき要部を拡大して示す説明図。
【図４】レッグ部を構成している脚部における上縁側領域の編み組織につき要部を拡大して示す説明図。
【符号の説明】
１１　靴下
１２　ストッキング
１３　口ゴム部
１４　内側面部
１５　ダブルメッシュ編み組織
１６　プレーン編み組織
１７　凹凸面
１８　カバリングヤーン
１９　弾性裸糸
２４　外側面
２５　メッシュ編み組織
２６，２７　カバリングヤーン
２８，２９　ウーリーナイロン糸
３３　レッグ部
３４　脚部
３５　上縁側領域
３６　フロート編み組織
３７　カバリングヤーン
３８，３９　弾性裸糸
４０　ウーリーナイロン糸
４１　境界帯域
４３　リブフロート編み組織
４４　足部
４５　ヒール部
４６　リブフロート編み組織
４７　プレーン編み組織
【図１】
2004068206.tif 000003
【図２】
2004068206.tif 000004
【図３】
2004068206.tif 000005
【図４】
2004068206.tif 000006